(57)【要約】【課題】所定のレンズ又は絞りを操作するための操作リングをロックつまみの締め込みによりロックするロック機構を備えたレンズ装置において、ロックつまみを挿通する操作リングの溝に嵌入するスペーサをロックつまみに取り付けることにより、操作リングをロックする際の位置ずれが生じないようにしたレンズ装置を提供する。【解決手段】監視用レンズ装置１０は、固定筒１０の外周部にフォーカスリング１２が設けられると共に、その外周部にズームリング１４が設けられる。フォーカスリング１２にはロックつまみ１６の軸部１６Ｂと螺合するネジ孔４８が形成され、ズームリング１４にはロックつまみ１６を挿通する開孔部５０（長溝）が形成される。ロックつまみ１６にはスペーサ５２が取り付けられており、そのスペーサ５２の凸部１０４が開孔部５０に嵌入されるようになっている。【選択図】図２
2010217321.tif 000002
【特許請求の範囲】
【請求項１】
被写体像を結像するための光学系に配置された移動可能な所定の移動レンズの位置、又は、開閉可能な絞りの開閉位置を操作するための操作リングであって、内側に配置された所定の内側部材に対して相対的に回動可能に配置された円筒状の操作リングと、
前記操作リングに形成された外周面から内周面まで貫通する孔であって、周方向に長孔形状に形成された孔と、
前記孔を挿通して前記内側部材に形成されたネジ孔に螺合するネジ部を有する軸部と、操作者が摘むつまみ部とから形成されたロックつまみと、
前記ロックつまみの軸部に回動可能に取り付けられ、前記孔に所定の回転位置においてのみ嵌入可能な凸部と、前記孔に嵌入不能であって前記操作リングの前記孔の周辺部位の外周面に当接する座面を有する基部とから形成されたスペーサ部材と、
を備え、
前記ロックつまみを回転させて前記軸部を前記内側部材のネジ孔に締め込み、前記スペーサ部材の基部の座面を前記操作リングの外周面に押圧することにより、前記操作リングの回動を規制して前記操作リングの位置を固定するロック機構を備えたことを特徴とするレンズ装置。
【請求項２】
前記スペーサ部材の凸部は、前記操作リングの孔に進入する先端側の面が、前記操作リングの孔と略一致する横幅と、前記操作リングの孔の幅より長い縦幅を有することを特徴とする請求項１のレンズ装置。
【請求項３】
前記スペーサ部材の凸部は、前記操作リングの孔に進入する先端側の面と、該面と交差する側面との稜線に角Ｒ加工、又は、面取り加工が施されたことを特徴とする請求項１、又は、２のレンズ装置。
【請求項４】
前記スペーサ部材の基部の座面は、前記操作リングに当接した際の前記操作リングの外周面と一致する形状に形成されることを特徴とする請求項１、２、又は、３のレンズ装置。
【請求項５】
前記スペーサ部材は、前記ロックつまみの軸部が挿通される孔を有し、前記ロックつまみの軸部には環状の凸部が形成され、前記ロックつまみの孔には内側に突出した爪が形成され、該爪が前記凸部に引っ掛かることにより、前記スペーサが前記ロックつまみの軸部から抜け落ちることを防止することを特徴とする請求項１、２、３、又は、４のレンズ装置。
【請求項６】
被写体像を結像するための光学系に配置された移動可能な所定の移動レンズの位置、又は、開閉可能な絞りの開閉位置を操作するための操作リングであって、内側に配置された所定の内側部材に対して相対的に回動可能に配置された円筒状の操作リングと、
前記操作リングに形成された外周面から内周面まで貫通する孔であって、周方向に長孔形状に形成された孔と、
前記操作リングの外周面側において、前記孔に平行して前記孔の両側に設けられた溝と、
前記内側部材に形成されたネジ孔に螺合するネジ部を有する軸部と、操作者が摘むつまみ部とから形成されたロックつまみと、
前記ロックつまみの軸部が挿通される孔と共に前記ロックつまみのつまみ部が当接する当接面を有する本体部と、前記２つの溝に嵌入される２つの脚部であって前記本体部を前記操作リングの外周面から離間させた状態で支持する脚部とから形成された押圧部材と、
を備え、
前記ロックつまみを回転させて前記軸部を前記内側部材のネジ孔に締め込み、前記押圧部材を前記ロック部材のつまみ部で押圧すると共に前記押圧部材の脚部を前記操作リングに押圧することにより、前記操作リングの回動を規制して前記操作リングの位置を固定するロック機構を備えたことを特徴とするレンズ装置。
【請求項７】
前記押圧部材は、平板状の本体部と、該本体部の対向する２つの端辺から該本体部に直交する方向に延設された平板状の脚部とからなり、該脚部の前記溝内に嵌入される先端側の端辺は、円弧状の前記溝と一致する形状に形成されることを特徴とする請求項６のレンズ装置。
【請求項８】
前記操作リングの内側に配置された前記内側部材は、レンズ鏡筒に対して相対的に回動可能に配置された他の操作リングであって、前記ロックつまみの軸部は、該他の操作リングに形成されたネジ孔に螺合すると共に、ロックつまみを回転させて前記軸部を前記他の操作リングのネジ孔に締め込むことにより、前記軸部の先端面を前記レンズ鏡筒に圧接させて前記他の操作リングの回動を規制して前記他の操作リングの位置を固定することを特徴とする請求項１乃至７のうちいずれか１のレンズ装置。
【請求項９】
被写体像を結像するための光学系に配置された移動可能な所定の移動レンズの位置、又は、開閉可能な絞りの開閉位置を操作するための操作リングであって、内側に配置された所定の内側部材に対して相対的に回動可能に配置された円筒状の操作リングと、
前記操作リングに形成された外周面から内周面まで貫通する孔であって、周方向に長孔形状に形成された孔と、
前記孔を挿通して前記内側部材に形成されたネジ孔に螺合するネジ部を有する軸部と、操作者が摘むつまみ部とから形成されたロックつまみと、
前記操作リングの外周面と前記つまみ部との間の前記ロックつまみの軸部に取り付けられ、前記ロックつまみを回転させて前記軸部を前記内側部材のネジ孔に締め込む際に、前記つまみ部から前記操作リングの外周面への押圧力を伝達し、回転力を伝達不能にするスペーサ部材と、
からなることを特徴とするレンズ装置。
【発明の詳細な説明】
【技術分野】
【０００１】
本発明はレンズ装置に係り、フォーカスリングやズームリング等の操作リングを所望の位置でロックするロック機構を備えた監視用カメラなどに使用されるレンズ装置に関する。
【背景技術】
【０００２】
近年では、金融機関、各種店舗等において小型の監視カメラ（監視用ＣＣＴＶカメラ）が広く用いられている。この種の監視カメラに使用される監視用レンズ装置は、鏡筒（固定筒）の外周部にフォーカス位置を調整するためのフォーカスリングと、焦点距離を調整するためのズームリングとが設けられており、監視カメラの設置時等において、これらのフォーカスリング、ズームリングをマニュアル操作してフォーカス位置、焦点距離の調整を行うことが行われている。
【０００３】
また、監視カメラは、ケース内に収容された状態で壁面などに設置され、ケースに設けられた開口から監視カメラ用レンズ装置の前面が臨むようにして外部の撮影が行えるようになっている。特許文献１には、監視カメラ用レンズ装置の鏡筒の外周部において、前方側（被写体側）にフォーカスリングが配置されると共に、その外周部にズームリングが配置され、ケースに設けられた開口からフォーカスリングとズームリングの操作を容易に行えるようにした監視カメラ用レンズ装置が提案されている（特許文献１参照）。
【先行技術文献】
【特許文献】
【０００４】
【特許文献１】特開２００７−３１０２２８号公報
【発明の概要】
【発明が解決しようとする課題】
【０００５】
ところで、特許文献１の監視カメラ用レンズ装置には、調整したフォーカスリング及びズームリングの位置を固定するためのロック機構が設けられている。これによれば、フォーカスリングに形成されたネジ孔が形成されると共に、そのネジ孔に対向するズームリングの位置に周方向に長孔形状の開孔部が設けられている。そして、フランジ部を有するロックつまみがズームリングの開孔部を挿通してフォーカスリングのネジ孔に係合されるようになっている。フォーカスリング及びズームリングを操作してフォーカス調整及び焦点距離調整を行った後、このロックつまみを締め込むと、フォーカスリングのネジ孔を挿通したロックつまみの先端が鏡筒に当接し、フォーカスリングの回転位置が固定されると共に、ロックつまみのフランジ部がズームリングの開孔部周辺に当接し、ズームリングがフランジ部に押圧されて位置が固定されるようになっている。
【０００６】
一方、上記のようなロック機構によりフォーカスリング及びズームリングをロックする場合に、ロックつまみを締め込んでいくと、締め付けが完了する最後の略一回しの際にロックつまみのフランジ部がズームリングと接触する。このとき、フランジ部とズームリングとの間に摩擦力が働き、フランジ部がズームリングに不均等な圧力で接触した状態であると、ロックつまみに対する回転操作力がその摩擦力を介してズームリングの回転力として作用する場合がある。そのため、ロックつまみを締め込む際に、ズームリングが調整位置から動いてしまうことや、ロックつまみと共にフォーカスリングが調整位置から動いてしまうことがあり、フォーカス位置や焦点距離がロックつまみでロックする前の調整位置からずれてしまうという問題があった。近年では監視カメラの高画質化・高精細化に伴いピント合わせや画角調整が厳格に行われるようになっており、このような調整位置のずれは適切に防止する必要がある。
【０００７】
本発明は、このような事情に鑑みてなされたもので、所定のレンズ又は絞りを操作するための操作リングをロックつまみの締め込みによりロックするロック機構を備えたレンズ装置において、操作リングをロックする際の位置ずれが生じないようにしたレンズ装置を提供することを目的とする。
【課題を解決するための手段】
【０００８】
前記目的を達成するために、請求項１に係るレンズ装置は、被写体像を結像するための光学系に配置された移動可能な所定の移動レンズの位置、又は、開閉可能な絞りの開閉位置を操作するための操作リングであって、内側に配置された所定の内側部材に対して相対的に回動可能に配置された円筒状の操作リングと、前記操作リングに形成された外周面から内周面まで貫通する孔であって、周方向に長孔形状に形成された孔と、前記孔を挿通して前記内側部材に形成されたネジ孔に螺合するネジ部を有する軸部と、操作者が摘むつまみ部とから形成されたロックつまみと、前記ロックつまみの軸部に回動可能に取り付けられ、前記孔に所定の回転位置においてのみ嵌入可能な凸部と、前記孔に嵌入不能であって前記操作リングの前記孔の周辺部位の外周面に当接する座面を有する基部とから形成されたスペーサ部材と、を備え、前記ロックつまみを回転させて前記軸部を前記内側部材のネジ孔に締め込み、前記スペーサ部材の基部の座面を前記操作リングの外周面に押圧することにより、前記操作リングの回動を規制して前記操作リングの位置を固定するロック機構を備えたことを特徴としている。
【０００９】
請求項２に係るレンズ装置は、請求項１に係る発明において、前記スペーサ部材の凸部は、前記操作リングの孔に進入する先端側の面が、前記操作リングの孔と略一致する横幅と、前記操作リングの孔の幅より長い縦幅を有することを特徴としている。
【００１０】
請求項３に係るレンズ装置は、請求項１、又は、２に記載の発明において、前記スペーサ部材の凸部は、前記操作リングの孔に進入する先端側の面と、該面と交差する側面との稜線に角Ｒ加工、又は、面取り加工が施されたことを特徴としている。
【００１１】
請求項４に係るレンズ装置は、請求項１、２、又は、３に記載の発明において、前記スペーサ部材の基部の座面は、前記操作リングに当接した際の前記操作リングの外周面と一致する形状に形成されることを特徴としている。
【００１２】
請求項５に係るレンズ装置は、請求項１、２、３、又は、４に記載の発明において、前記スペーサ部材は、前記ロックつまみの軸部が挿通される孔を有し、前記ロックつまみの軸部には環状の凸部が形成され、前記ロックつまみの孔には内側に突出した爪が形成され、該爪が前記凸部に引っ掛かることにより、前記スペーサが前記ロックつまみの軸部から抜け落ちることを防止することを特徴としている。
【００１３】
請求項６に係るレンズ装置は、被写体像を結像するための光学系に配置された移動可能な所定の移動レンズの位置、又は、開閉可能な絞りの開閉位置を操作するための操作リングであって、内側に配置された所定の内側部材に対して相対的に回動可能に配置された円筒状の操作リングと、前記操作リングに形成された外周面から内周面まで貫通する孔であって、周方向に長孔形状に形成された孔と、前記操作リングの外周面側において、前記孔に平行して前記孔の両側に設けられた溝と、前記内側部材に形成されたネジ孔に螺合するネジ部を有する軸部と、操作者が摘むつまみ部とから形成されたロックつまみと、前記ロックつまみの軸部が挿通される孔と共に前記ロックつまみのつまみ部が当接する当接面を有する本体部と、前記２つの溝に嵌入される２つの脚部であって前記本体部を前記操作リングの外周面から離間させた状態で支持する脚部とから形成された押圧部材と、を備え、前記ロックつまみを回転させて前記軸部を前記内側部材のネジ孔に締め込み、前記押圧部材を前記ロック部材のつまみ部で押圧すると共に前記押圧部材の脚部を前記操作リングに押圧することにより、前記操作リングの回動を規制して前記操作リングの位置を固定するロック機構を備えたことを特徴としている。
【００１４】
請求項７に係るレンズ装置は、請求項６に係る発明において、前記押圧部材は、平板状の本体部と、該本体部の対向する２つの端辺から該本体部に直交する方向に延設された平板状の脚部とからなり、該脚部の前記溝内に嵌入される先端側の端辺は、円弧状の前記溝と一致する形状に形成されることを特徴としている。
【００１５】
請求項８に係るレンズ装置は、請求項１乃至７のうちいずれか１に記載の発明において、前記操作リングの内側に配置された前記内側部材は、レンズ鏡筒に対して相対的に回動可能に配置された他の操作リングであって、前記ロックつまみの軸部は、該他の操作リングに形成されたネジ孔に螺合すると共に、ロックつまみを回転させて前記軸部を前記他の操作リングのネジ孔に締め込むことにより、前記軸部の先端面を前記レンズ鏡筒に圧接させて前記他の操作リングの回動を規制して前記他の操作リングの位置を固定することを特徴としている。
【００１６】
請求項９に係るレンズ装置は、被写体像を結像するための光学系に配置された移動可能な所定の移動レンズの位置、又は、開閉可能な絞りの開閉位置を操作するための操作リングであって、内側に配置された所定の内側部材に対して相対的に回動可能に配置された円筒状の操作リングと、前記操作リングに形成された外周面から内周面まで貫通する孔であって、周方向に長孔形状に形成された孔と、前記孔を挿通して前記内側部材に形成されたネジ孔に螺合するネジ部を有する軸部と、操作者が摘むつまみ部とから形成されたロックつまみと、前記操作リングの外周面と前記つまみ部との間の前記ロックつまみの軸部に取り付けられ、前記ロックつまみを回転させて前記軸部を前記内側部材のネジ孔に締め込む際に、前記つまみ部から前記操作リングの外周面への押圧力を伝達し、回転力を伝達不能にするスペーサ部材と、からなることを特徴としている。
【発明の効果】
【００１７】
本発明によれば、ロックつまみの締め込みにより操作リングをロックする際に、ロックつまみに対する回転操作力が、操作リングを一方向に回転させる力として伝達しないため、操作リングが調整位置からずれるという不具合が防止される。
【図面の簡単な説明】
【００１８】
【図１】図１は、本発明が適用される監視用レンズ装置と、その周辺部の構成を示した斜視図である。
【図２】図２は、監視用レンズの構成を詳細に示す断面図であり、光軸と図１に示す一点鎖線Ｉ−Ｉとを含む面に沿った断面を示している。
【図３】図３は、ロックつまみをズームリングの内側から見たときの斜視図である。
【図４】図４は、ロックつまみのみを示した側面図である。
【図５】図５（Ａ）、（Ｂ）、（Ｃ）、（Ｄ）は各々、ロックつまみの先端側を視点とする場合のスペーサの正面図、側面図、上面図、背面図である。
【図６】図６は、上記実施の形態の監視用レンズ装置を備えた小型の監視カメラを示した模式図である。
【図７】図７は、フォーカスリング及びズームリングをロックするロック機構の他の実施の形態を示した斜視図である。
【発明を実施するための形態】
【００１９】
以下、添付図面を参照して、本発明に係る監視カメラ用レンズ装置を実施するための形態について詳細に説明する。
【００２０】
図１は、本発明が適用される監視用レンズ装置と、その周辺部の構成を示した斜視図である。同図に示す監視用レンズ装置１０は、主として監視用のカメラに用いられるものであり、フォーカスレンズやズームレンズを内部に支持する固定筒の外周部にフォーカスリング１２、ズームリング１４、ロックつまみ１６等が設けられている。又、監視用レンズ装置１０には、赤外線フィルタを駆動するための駆動装置１８が設けられている。
【００２１】
図２は、監視用レンズの構成を詳細に示す断面図であり、光軸と図１に示す一点鎖線Ｉ−Ｉとを含む面に沿った断面を示している。同図に示すように、監視用レンズ装置１０は固定筒２０を備えており、固定筒２０の内部には、レンズ枠２２、２４が配置されている。また、フォーカスリング１２、ズームリング１４は、固定筒２０の外側に配置されている。
【００２２】
レンズ枠２２は、固定筒２０内の被写体側（前側）に配置されており、フォーカスレンズ（群）２６を保持する枠である。レンズ枠２２には、その周面よりも突出する係合ピン２８が装着されている。
【００２３】
一方、固定筒２０には、光軸方向に直進溝３０が形成されており、係合ピン２８が直進溝３０に係合することによって、レンズ枠２２及びフォーカスレンズ２６が、直進溝３０にガイドされて光軸方向に直進移動するように構成されている。
【００２４】
レンズ枠２４は、固定筒２０内においてレンズ枠２２よりも後側に配置されている。レンズ枠２４は、ズームレンズ（群）３２を保持する枠であり、その周面よりも突出する係合ピン３４が装着されている。一方、固定筒２０には、光軸方向に直進溝３６が形成されており、係合ピン３４が直進溝に係合することによって、レンズ枠２４及びズームレンズ３２が、直進溝３６にガイドされて光軸方向に直進移動するように構成されている。
【００２５】
フォーカスリング１２は、レンズ枠２２が配置される部位において、固定筒２０の外周面に回動可能に配置されている。フォーカスリング１２の内周面には、光軸に対して螺旋状にカム溝３８が形成されている。レンズ枠２２に装着された係合ピン２８は、フォーカスリング１２のカム溝３８に係合する。従って、フォーカスリング１２を回動操作すると、フォーカスリング１２のカム溝３８と固定筒２０の直進溝３０との交差位置が光軸方向に変位すると共に、その交差位置に従って係合ピン２８、レンズ枠２２、及び、フォーカスレンズ２６が光軸方向に変位する。このように、フォーカスリング１２を回動操作することによって、フォーカスレンズ２６の設定位置を調整してフォーカス調整（ピント調整）を行うことができる。
【００２６】
ズームリング１４は、フォーカスリング１２よりも後において、固定筒２０の外周面に回動可能に配置されている。また、ズームリング１４には、フォーカスリング１２側に延長部１５が設けられている。延長部１５では、フォーカスリング１２の外周に覆い被さるようにズームリング１４の内径が拡大されている。尚、ズームリング１４の延長部１５がフォーカスリング１２を覆う部位では、ズームリング１４の内周面とフォーカスリング１２の外周面との間に所定の隙間が設けられている。
【００２７】
ズームリング１４の内周面には、光軸に対して螺旋状にカム溝４０が形成されている。レンズ枠２４に装着された係合ピン３４は、ズームリング１４のカム溝４０に係合する。従って、ズームリング１４を回動操作すると、ズームリング１４のカム溝４０と固定筒２０の直進溝３６との交差位置が光軸方向に変位すると共に、その交差位置に従って係合ピン３４、レンズ枠２４、及び、ズームレンズ３２が光軸方向に変位する。このように、ズームリング１４を回動操作することによって、ズームレンズ３２の設定位置を調整して焦点距離の調整（ズーム調整）を行うことができる。
【００２８】
図１に示すように、フォーカスリング１２の前側の端部には、外周上の凹凸部４２が設けられている。また、ズームリング１４の前側の端部には、外周上に複数の爪４４が設けられている。従って、フォーカスリング１２は、操作者が凹凸部４２を保持することによって回動され、ズームリング１４は、操作者が爪４４を保持することによって回動されるようになっている。
【００２９】
尚、上述の構成では、固定筒２０に直進溝３０、３６を設け、フォーカスリング１２、ズームリング１４に螺旋状のカム溝３８、４０を設けているが、固定筒２０に螺旋状のカム溝を設け、フォーカスリング１２又はズームリング１４に直線のカム溝を設けても良い。また、固定筒２０とフォーカスリング１２又はズームリング１４の双方に螺旋状のカム溝を設けても良い。
【００３０】
また、本実施の形態の監視用レンズ装置１０では、フォーカスリング１２がズームリング１４よりも被写体側に設けられているが、ズームレンズ３２がフォーカスレンズ２６よりも被写体側に位置している場合は、ズームリング１４がフォーカスリング１２よりも被写体側に位置するように構成しても良い。この場合、フォーカスリング１２に延長部を設け、延長部がズームリング１４を覆うように構成する。
【００３１】
フォーカスリング１２及びズームリング１４には、所望の調整位置でそれらを固定するためのロック機構が設けられている。ロック機構の構成については後述するが、図１及び図２に示すロックつまみ１６を所定に方向（時計回り）に回転操作して略回転不能となるところまでネジを締め込むと、フォーカスリング１２及びズームリング１４が回動不能となり、フォーカスリング１２及びズームリング１４がロックされる。一方、この状態からロックつまみ１６を反対方向（反時計回り）に回転させてネジを弛めると、フォーカスリング１２及びズームリング１４が回動可能となり、フォーカスリング１２及びズームリング１４を所望の位置に回転させてフォーカス調整及びズーム調整を行うことができるようになっている。
【００３２】
図２に示すように、固定筒２０の後端部には撮像素子ホルダ５４が装着されている。撮像素子ホルダ５４には、基板５６が装着されている。基板５６にはＣＣＤ（撮像素子）５８が実装されている。ＣＣＤ５８の前側にはシールゴム５９が設けられており、シールゴム５９の更に前側にはローパスフィルタ（ＯＬＰＦ）６０が配置されている。ローパスフィルタ６０の前部は、撮像素子ホルダ５４の保持部６２に当接している。また、ローパスフィルタ６０の更に前側には、ＩＲカットフィルタ６４が配置されている。ＩＲカットフィルタ６４は、赤外線をカットするフィルタと赤外線を透過するフィルタの２つを備えている。ＩＲカットフィルタ６４が備える２つのフィルタの切り換えは、駆動装置１８の駆動によって行われる。
【００３３】
次に、上記フォーカスリング１２及びズームリング１４のロック機構について説明する。図１及び図２のようにズームリング１４の外周面にロックつまみ１６が、そのつまみ部１６Ａを突出した状態で設けられている。図３は、そのロックつまみ１６をズームリング１４の内側から見たときの斜視図であり、図４は、ロックつまみ１６のみを示した側面図である。
【００３４】
ロックつまみ１６は、図２乃至図４に示すように操作者が指で摘んで回動操作するためのつまみ部１６Ａと、雄ネジ４６が形成される軸部１６Ｂとから形成されている。雄ネジ４６は、軸部１６Ｂの先端側の周面に形成されている。
【００３５】
一方、フォーカスリング１２には、図２及び図３に示すように貫通した孔４８が設けられ、その孔の内周部にはロックつまみ１６の雄ネジ４６と螺合する雌ネジ４８Ａが形成されている。また、ズームリング１４には、ロックつまみ１６の軸部１６Ｂを挿通するために、軸部１６Ｂの径よりも幅の広い開孔部５０が形成されている。この開孔部５０は、図１及び図３に示すようにズームリング１４の周方向（回転方向）に長孔形状で形成されている。
【００３６】
ロックつまみ１６は、軸部１６Ｂがズームリング１４の外側から開孔部５０に挿入され、その先端部の雄ネジ４６がフォーカスリング１２の孔４８の雌ネジ４８Ａに螺合されてフォーカスリング１２に取り付けられるようになっている。
【００３７】
ロックつまみ１６を所定の方向（時計回り）に回転させてその軸部１６Ｂをフォーカスリング１２の孔４８に締め込んでいくと、ロックつまみ１６の軸部１６Ｂの先端面が固定筒２０の外周面に圧接される。これにより、ロックつまみ１６が固定筒２０に対するフォーカスリング１２の回動を規制してフォーカスリング１２が回動不能な状態となり、フォーカスリング１２の位置が固定される。また、ズームリング１４もロックつまみ１６に取り付けられた後述のスペーサ５２により押圧されて回動不能な状態となり、ズームリング１４の位置が固定される。即ち、ロックつまみ１６を時計回りに回転させていくと、フォーカスリング１２及びズームリング１４がロックされるようになっている。
【００３８】
一方、ロックつまみ１６を上記とは反対方向（反時計回り）に回転させてその軸部１６Ｂの先端面を固定筒２０の外周面から離間させると、フォーカスリング１２及びズームリング１４のロックが解除され、フォーカスリング１２及びズームリング１４が回動可能な状態となる。これにより、フォーカスリング１２やズームリング１４を回動操作してフォーカス調整やズーム調整を行うことができるようになっている。
【００３９】
尚、ロックつまみ１６の軸部１６Ｂの長さ等の設計寸法により、フォーカスリング１２とズームリング１４のうち両方を完全にロックした状態とロックを解除した状態以外に、いずれか一方のみを完全にロックし他方をある程度以上の操作力で回動させることができる状態も作ることができる。
【００４０】
続いて、ロックつまみ１６に取り付けられるスペーサ５２について詳説する。図２乃至図４に示すようにスペーサ５２は例えばプラスチック（可塑性物質）により成形され、ロックつまみ１６の軸部１６Ｂに嵌め込まれて軸部１６Ｂのつまみ部１６Ａ側の基端部に配置されている。図５（Ａ）、（Ｂ）、（Ｃ）、（Ｄ）は、各々、ロックつまみ１６の先端側を視点とする場合のスペーサ５２の正面図、側面図、上面図、背面図である。
【００４１】
これらの図に示すようにスペーサ５２は、ロックつまみ１６の軸部１６Ｂを挿通する孔１００が中心部に形成されると共に、その孔１００を中心とする円筒状の基部１０２と、基部１０２から隆起した凸部１０４とから形成されている。
【００４２】
孔１００は、ロックつまみ１６の軸部１６Ｂよりもわずかに大きな径で形成されており、スペーサ５２の孔１００にロックつまみ１６の軸部１６Ｂを容易に挿通してスペーサ５２を軸部１６Ｂに取り付けることができるようになっている。
【００４３】
一方、ロックつまみ１６の軸部１６Ｂには図４に示すように環状の凸部１１２が形成されており、スペーサ５２の孔１００にロックつまみ１６の軸部１６Ｂを挿入し、スペーサ５２の背面がつまみ部１６Ａに当接する位置付近まで移動させると、ロックつまみ１６の軸部１６Ｂの凸部１１２がスペーサ５２の孔１００の開口部前面側周辺に接触する。これにより、軸部１６Ｂに対してスペーサ５２がその位置で保持されやすくなっている。
【００４４】
また、同図（Ｃ）、（Ｄ）に示すように孔１００には、爪１１０、１１０が対向した位置に形成されており、スペーサ５２の孔１００の爪１１０、１１０が図４に示した軸部１６Ｂの凸部１１２に引っ掛かり、スペーサ５２が軸部１６Ｂから容易には抜け落ちないようになっている。
【００４５】
尚、このようにしてロックつまみ１６に取り付けられたスペーサ５２は、ロックつまみ１６のつまみ部１６Ａや軸部１６Ｂに対して回動可能な状態となっている。
【００４６】
基部１０２は、図５（Ｂ）のように背面側の面１０２Ｂが平面で形成される一方、正面側の面１０２Ａは、ズームリング１４の外周面の周方向の曲率と同じ曲率の曲面（円筒面）で形成される。即ち、図３のようにスペーサ５２の凸部１０４がズームリング１４の開孔部５０に所定の向き（後述）で嵌入されて基部１０２の正面側の面１０２Ａがズームリング１４の外周面に当接する位置まで進入した際に、基部１０２の正面側の面１０２Ａの一部のみがズームリング１４の外周面に当接することがないように、ズームリング１４の外周面の周方向の曲率と同じ曲率の曲面で形成されている。これにより、基部１０２の正面側の面１０２Ａ全体がズームリング１４の外周面に当接されるようになっている。
【００４７】
凸部１０４は、図５（Ａ）に示すように基部１０２よりも小さい外径の円筒の左右両側を平面状に軸方向に切り欠いた外形を有し、それらの両側の側面１０４Ａ、１０４Ａの間隔がズームリング１４の開孔部５０の幅と略同じ寸法（わずかに小さい程度）となるように形成されている。これにより、図３に示すように、凸部１０４の両側の側面１０４Ａ、１０４Ａが開孔部５０の幅方向を向いた状態のみで、開孔部５０に嵌入されるようになっている。
【００４８】
また、図５（Ａ）において凸部１０４の上記左右の側面１０４Ａ、１０４Ａと正面の面１０４Ｃとが交差する稜線と、上下の側面１０４Ｂ、１０４Ｂと正面の面１０４Ｃとが交差する稜線とは、同図（Ｂ）、（Ｃ）のように角Ｒ加工が施されており、凸部１０４がズームリング１４の開孔部５０に進入しやすいようになっている。即ち、正面の面１０４Ｃと、これと交差する側面１０４Ａ、１０４Ａ、１０４Ｂ、１０４Ｂとの稜線には角Ｒ加工が施されている。
【００４９】
尚、上記稜線に角Ｒ加工を施す場合に限らず稜線を平面で切り欠いた面取り加工を施してもよい。また、本明細書において、凸部１０４における正面の面１０４Ｃと、これと交差する側面１０４Ａ、１０４Ａ、１０４Ｂ、１０４Ｂとの稜線を角Ｒ加工又は面取り加工を施すとの意味は、そのような加工を施した場合と同様の形状にすることを示すもので、スペーサ５２を成形した後、角Ｒ加工又は面取り加工を施す場合に限らず、このような加工を施したときの形状となるようにスペーサ５２を成形する場合も含み、スペーサ５２を加工、成形する方法は特定の方法に限定されない。
【００５０】
また、上記スペーサ５２の凸部１０４の形状は、ズームリング１４の開孔部５０に対して特定の一方向を向いているときのみ、開孔部５０に嵌入可能となるものであるが、これに限らず、例えば、凸部１０４を正面側から見たときに正方形となるように成形し、直交する２方向で凸部１０４が開孔部５０に嵌入可能となるようにしてもよい。
【００５１】
以上のごとく構成されたロックつまみ１６のスペーサ５２の作用について説明すると、まず、フォーカスリング１２及びズームリング１４のロックが解除され、スペーサ５２の凸部１０４がズームリング１４の開孔部５０から抜けている状態であるとする。このとき、ロックつまみ１６を時計回りに回すと、スペーサ５２もロックつまみ１６の軸部１６Ｂと共に回転する。そして、軸部１６Ｂがフォーカスリング１２の孔４８に締め込まれていくと、スペーサ５２がズームリング１４と開孔部５０に徐々に接近して行き、スペーサ５２の凸部１０４の正面１０４Ｃがズームリング１４に接触すると、開孔部５０に進入可能な向き（図３参照）となったところで、軸部１６Ｂの回転に逆らって回転が停止する。更にロックつまみ１６を回転させていくと、スペーサ５２の凸部１０４は、そのままの姿勢（向き）を維持して開孔部５０の中に進入していく。そして、スペーサ５２の基部１０２における正面側の面１０２Ａがズームリング１４の外周面に当接し、ロックつまみ１６の時計回りの回転が略不能となると、フォーカスリング１２及びズームリング１４がロックされた状態となる。
【００５２】
これによれば、フォーカスリング１２及びズームリング１４の位置調整（フォーカス調整及び焦点距離調整）が終了し、ロックつまみ１６を回転操作してロックする際に、その回転操作の力がフォーカスリング１２やズームリング１４の回転力として伝達しないという効果がある。即ち、ズームリング１４の外周面にロックつまみ１６と共に回転する任意の部材の一部のみが接触した状態であると、ズームリング１４を一方向に回転させる力として伝達され、調整位置からずれる可能性がある。
【００５３】
一方、上記のように開孔部５０の内部にスペーサ５２の凸部１０４を嵌入させることによってロックつまみ１６の回転操作の力は、ロックつまみ１６を軸としてズームリング１４を回転させる力として伝達される。一方、ズームリング１４は、そのような回転は規制されており回転することはない。従って、ロックつまみ１６の回転操作によってズームリング１４の調整位置がずれるという不具合が防止され、本実施の形態の監視用レンズ装置１０を採用した監視用カメラを所定の場所に設置してフォーカス調整や焦点距離調整を行う場合の作業効率の向上、作業時間の短縮、及び、労力の低減が図られ、監視用カメラで撮影された映像の画質も向上する。
【００５４】
図６は、上記実施の形態の監視用レンズ装置１０を備えた小型の監視カメラ７０を示す模式図である。図６に示す監視カメラ７０は、ドーム状の外観を有しており、基台７２、透明のケース部材７４、およびケース部材７４の内部に設けられ、監視用レンズ装置１０を覆うカバー部材７６を備えている。カバー部材７６には、監視用レンズ装置１０の先端部に対応した開口７８が設けられている。詳細は省略するが、監視用レンズ装置１０は基台７２に対して角度を可変することができ、また、基台７２に対して回転することができる。
【００５５】
本実施形態の監視用レンズ装置１０によれば、ズームリング１４に延長部１５が設けられ、ズームリング１４の前側部分がフォーカスリング１２を覆うように延長されているため、フォーカスリング１２の操作部（凹凸部４２）とズームリング１４の操作部（爪４４）を近接して配置することが可能となる。そして、フォーカスリング１２の操作部とズームリング１４の操作部をともに監視用レンズ装置１０の前側の端部近傍に配置することができ、フォーカスリング１２、ズームリング１４の双方を監視用レンズ装置１０の前側の端部近傍で操作することができる。これにより、フォーカスリング１２、ズームリング１４を操作する際に、指先を監視用レンズ装置１０の後側まで挿入する必要がなくなる。従って、図６のように監視用レンズ装置１０が小型の監視カメラ７０に搭載された場合に、カバー部材７６の開口７８が非常に小さい場合であっても、フォーカスリング１２、ズームリング１４を容易に操作することが可能となる。
【００５６】
また、フォーカスリング１２、ズームリング１４を固定するロックつまみ１６を１つに集約し、監視用レンズ装置１０の前側に配置したため、ロックつまみ１６の操作も簡便かつ容易に行うことができ、位置ずれが生じにくいスペーサ５２を使用したため、フォーカスリング１２及びズームリング１４を調整した位置に容易かつ適切に固定することができる。
【００５７】
以上、上記実施の形態の形態では、ロック機構のロックつまみ１６に図２乃至図５に示したようなスペーサ５２を取り付けてロックつまみ１６によるフォーカスリング１２及びズームリング１４のロック時に調整位置がずれないようにしたが、スペーサ５２は、ズームリング１４の外周面とロックつまみ１６のつまみ部１６Ａとの間のロックつまみ１６の軸部１６Ｂに取り付けられ、ロックつまみ１６を回転させて軸部１６Ｂをフォーカスリング１２の孔４８に締め込む際に、つまみ部１６Ａからズームリング１４の外周面への押圧力を伝達し、回転力を伝達不能にするものであればよい。例えば、上記スペーサ５２の代わりに図７に示すような構成としてもよい。
【００５８】
図７の構成によれば、ズームリング１４の開孔部５０の長孔方向に沿って開孔部５０の両側に溝１２０、１２０が形成される。その溝１２０、１２０には、本体部１３０Ａと脚部１３０Ｂ、１３０Ｂとから形成されたコの字状の押圧部材１３０の脚部１３０Ｂ、１３０Ｂの各々の先端部が嵌入される。尚、押圧部材１３０は、例えばプラスチックで一体成形されるものであってもよいし、板金のように金属によって一体成形されるものであってもよい。また、一体成形でなくてもよい。
【００５９】
そして、押圧部材１３０の本体部１３０Ａの中央にも受けられた孔１３０Ｃに、図４と同様に構成されたロックつまみ１６（つまみ部１６Ａ及び軸部１６Ｂ）の軸部１６Ｂが挿通される共に、その軸部１６Ｂが図２及び図３と同様にズームリング１４の開孔部５０に挿通されてフォーカスリング１２の孔４８の雌ネジ４８Ａに螺合される。押圧部材１３０の脚部１３０Ｂ、１３０Ｂが溝１２０、１２０に嵌入された状態で、ロックつまみ１６が締め込まれていくと、ロックつまみ１６のつまみ部１６Ａが押圧部材１３０の本体部１３０Ａをズームリング１２の外周面に向けて押圧して、ズームフォーカスリング１２及びズームリング１４がロックされる。
【００６０】
これによれば、ロックつまみ１６の回転力がフォーカスリング１２及びズームリング１４の回転力として伝達せず、ロックを解除した状態で調整したフォーカスリング１２及びズームリング１４の調整位置にずれを生じさせることがなく、フォーカスリング１２及びズームリング１４をロックすることができる。
【００６１】
以上、上記実施の形態では、本発明を監視用レンズ装置に適用した場合について説明したが、本発明は監視用に限らず操作リングをロックするロック機構を有するレンズ装置に適用できる。
【００６２】
また、上記実施の形態のように２つの操作リングが重なり合っているものに限らず、上記ズームリング１４と同様の開孔部５０を有する操作リングが鏡筒の所定の外周部に他の操作リングと重なり合うことなく設けられている場合に、その操作リングを開孔部５０を挿通して鏡筒に設けられたネジ孔にロックつまみの軸部のネジを螺合させてロックつまみで操作リングをロックする場合のロック機構にも適用できる。本発明の対象となる操作リングの種類もフォーカスレンズやズームレンズ以外の移動可能なレンズを移動させる操作リングであってもよいし、アイリス（絞り）を開閉動作させる操作リングであってもよい。
【符号の説明】
【００６３】
１０…監視用レンズ装置、１２…フォーカスリング、１４…ズームリング、１５…延長部、１６…ロックつまみ、１６Ａ…つまみ部、１６Ｂ…軸部、１８…駆動装置、２０…固定筒、２２、２４…レンズ枠、２６…フォーカスレンズ、２８、３４…係合ピン、３０、３６…直進溝、３２…ズームレンズ、３８、４０…カム溝、４２…凹凸部、４４…爪、４６…雄ネジ、４８…孔、４８Ａ…雌ネジ、５０…開孔部、５２…スペーサ、５４…撮像素子ホルダ、５６…基板、５８…ＣＣＤ、５９…シールゴム、６０…ローパスフィルタ、６２…保持部、６４…ＩＲカットフィルタ、７０…監視カメラ、７２…基台、７４…ケース部材、７６…カバー部材、７８…開口、１００…孔、１０２…基部、１０４…凸部、１１０…爪、１１２…凸部、１２０…溝、１３０…押圧部材、１３０Ａ…本体部、１３０Ｂ…脚部、
【図１】
2010217321.tif 000003
【図２】
2010217321.tif 000004
【図３】
2010217321.tif 000005
【図４】
2010217321.tif 000006
【図５】
2010217321.tif 000007
【図６】
2010217321.tif 000008
【図７】
2010217321.tif 000009